(57)【要約】      （修正有）【課題】様々な試験環境においても透過膜やレシーバチャンバの温度を制御する透過性試験装置を提供する。【解決手段】透過性試験装置は、透過膜ＭＢが内部に収容され、内部が透過膜によってドナー液ＤＬが収容されるドナーチャンバ１２とレシーバ液ＲＬが収容されるレセプターチャンバ１３に分けられたセル１１が複数形成されたセルアレイユニット１０と、セルアレイユニットと接し、熱伝導性の材質から構成されるセルベース２０と、セルベースの内部に循環水ＣＷが流通する流路２１と、レシーバ液の温度を検出するレシーバ液温度センサ３０と、透過膜の温度を検出する透過膜温度センサ４０と、流路を流通する液体の流量を制御する流量制御装置と、を備え、流量制御装置は、レシーバ液温度センサが検出したレシーバ液の温度と透過膜温度センサが検出した透過膜の温度の両方またはいずれか一方に基づき、流路を流通する液体の流量を制御する。【選択図】図３
2020063908.tif 000002
【特許請求の範囲】
【請求項１】
透過膜が内部に収容され、該内部が前記透過膜によって上部空間と下部空間に分けられ、前記上部空間にドナー液が収容されると共に下部空間にレシーバ液が収容されるセルが、複数形成されたセルアレイユニットと、
前記セルアレイユニットと接し、熱伝導性の材質から構成されるセルベースと、
前記セルベースの内部に液体が流通する流路と、
前記レシーバ液の温度を検出するレシーバ液温度センサと、
前記透過膜の温度を検出する透過膜温度センサと、
前記流路を流通する液体の流量を制御する流量制御装置と、
を備え、
前記流量制御装置は、前記レシーバ液温度センサが検出した前記レシーバ液の温度と前記透過膜温度センサが検出した前記透過膜の温度の両方またはいずれか一方に基づき、前記流路を流通する液体の流量を制御する、
透過性試験装置。
【請求項２】
前記透過性試験装置が設置された環境の温度が略５０℃であり、前記流路を流通する液体の温度が略２９℃である場合に、前記流量制御装置は、前記レシーバ液の温度が３２±１℃および／または前記透過膜の温度が４０±１℃になるように制御することを特徴とする請求項１に記載の透過性試験装置。
【請求項３】
前記セルアレイユニットと前記セルベースの間の少なくとも一部においてサファイアガラスを備え、
前記サファイアガラスは、前記セルアレイユニットおよび前記セルベースに当接していることを特徴とする請求項１または２に記載の透過性試験装置。
【請求項４】
前記セルアレイユニットは、透明素材により一体成型されていることを特徴とする請求項１乃至３のいずれかに記載の透過性試験装置。
【発明の詳細な説明】
【技術分野】
【０００１】
本発明は、試料の透過性、拡散性を測定する透過性試験装置に関する。
【背景技術】
【０００２】
医薬品や化粧品等の研究分野においては、研究対象である薬剤等の試料が、透過膜である皮膚を透過、拡散する状態を測定し、その効能・効果が期待できるか検証、評価が行われる。この検証、評価の基礎となる透過状態や拡散状態を試験する装置として、透過性試験装置が用いられている。
【０００３】
従来から、この透過性試験装置として、フランツセルが用いられている。このフランツセルは、上側容器と下側容器の間に皮膚等の透過膜を挟み、上側容器に測定対象物質である薬剤等の試料を、下側容器にレセプター液を供給し、所定時間後にレセプター液内の試料の濃度を測定することにより、透過拡散速度を測定する装置である。
【０００４】
例えば、特許文献１は、試料数に応じてセル数を可変することができる透過性試験装置を開示する。この透過性試験装置は、透過膜が内部に収容され、内部が透過膜によって上部空間と下部空間に分けられ、更に上部空間にドナー液が収容されると共に、下部空間にレシーバ液が収容されたセルユニットと、予め設定された複数個のセルユニットを、着脱自在に保持するように構成されたセルベースと、を備える。この透過性試験装置では、セルベースは震盪器に設けられた温調プレートの上に取り付けられるので、セルユニットの底面が温調プレートと接し、セルユニットは好適に温調される。
【先行技術文献】
【特許文献】
【０００５】
【特許文献１】特開２０１５−２１９１１４号公報
【発明の概要】
【発明が解決しようとする課題】
【０００６】
透過性試験装置は、室温だけでなく高温高湿の環境においても使用され、その際の透過膜やレシーバチャンバの温度は、試験の目的により適宜定められている場合がある。しかし、上記透過性試験装置では、様々な環境における透過膜の温度までは制御することができなかった。
そこで、本発明は、様々な試験環境においても透過膜やレシーバチャンバの温度を制御する透過性試験装置を提供する。
【課題を解決するための手段】
【０００７】
上記課題を解決するために、透過膜が内部に収容され、内部が透過膜によって上部空間と下部空間に分けられ、上部空間にドナー液が収容されると共に下部空間にレシーバ液が収容されるセルが、複数形成されたセルアレイユニットと、セルアレイユニットと接し、熱伝導性の材質から構成されるセルベースと、セルベースの内部に液体が流通する流路と、レシーバ液の温度を検出するレシーバ液温度センサと、透過膜の温度を検出する透過膜温度センサと、流路を流通する液体の流量を制御する流量制御装置と、を備え、流量制御装置は、レシーバ液温度センサが検出したレシーバ液の温度と透過膜温度センサが検出した透過膜の温度の両方またはいずれか一方に基づき、流路を流通する液体の流量を制御する透過性試験装置が提供される。
これによれば、レシーバ液の温度と透過膜の温度の両方またはいずれか一方に基づき流路を流通する液体の流量を制御することで、様々な試験環境においても透過膜やレセプターチャンバの温度を制御する透過性試験装置を提供することができる。
【０００８】
さらに、透過性試験装置が設置された環境の温度が約５０℃であり、流路を流通する液体の温度が約２９℃である場合に、流量制御装置は、レシーバ液の温度が３２±１℃および／または透過膜の温度が４０±１℃になるように制御することを特徴としてもよい。
これによれば、高温高湿の試験環境下においても、透過性試験として十分な温調性能を発揮することができる。
【０００９】
さらに、セルアレイユニットとセルベースの間の少なくとも一部においてサファイアガラスを備え、サファイアガラスは、セルアレイユニットおよびセルベースに当接していることを特徴としてもよい。
これによれば、サファイアガラスがセルアレイユニットとセルベースの間に存在し両者に当接していることで、伝熱性が良く、良好に温調することができる。
【００１０】
さらに、セルアレイユニットは、透明素材により一体成型されていることを特徴としてもよい。
これによれば、セルアレイユニットが透明素材により一体成型されていることで、レセプターチャンバが観察し易くなると共に、各セルの透過膜を同一の環境条件で試験することが可能になる。
【発明の効果】
【００１１】
本発明によれば、様々な試験環境においても透過膜やレシーバチャンバの温度を制御する透過性試験装置を提供することができる。
【図面の簡単な説明】
【００１２】
【図１】本発明に係る第一実施例の透過性試験装置の概観図。
【図２】本発明に係る第一実施例の透過性試験装置におけるセルアレイユニットとセルベースの、（Ａ）平面図、（Ｂ）正面図、（Ｃ）左側面図、（Ｄ）右側面図。
【図３】本発明に係る第一実施例の透過性試験装置におけるセルアレイユニットとセルベースの、（Ａ）Ａ−Ａ断面における断面図、（Ｂ）Ｂ−Ｂ断面における断面図、（Ｃ）Ｃ−Ｃ断面における断面図。
【図４】本発明に係る第一実施例の透過性試験装置による室温における実験制御結果。
【図５】本発明に係る第一実施例の透過性試験装置による高温高湿における実験制御結果。
【発明を実施するための形態】
【００１３】
以下に、図面を参照し、実施例について説明する。
＜第一実施例＞
図１乃至図３を参照し、本実施例における透過性試験装置１００を説明する。透過性試験装置１００は、様々な環境において、研究対象である薬剤等の試料が透過膜である皮膚を透過、拡散する状態を測定するための装置である。透過性試験装置１００は、図１に示すように、調温調湿装置ＣＴＨの中に設置されるセルベース２０等と、セルベース２０等と循環水チューブＴＢおよびセンサ配線ＳＬＩにより接続される循環水制御装置ＣＷＤから構成される。調温調湿装置ＣＴＨは、スターラーＳＴＲ上に設置され、試験中の調温調湿装置ＣＴＨ内のセルベース２０等に含まれるレシーバ液を攪拌できるようになっている。調温調湿装置ＣＴＨは、本装置が設置された環境に関わらず、庫内を所定の温度と湿度に設定でき、それを維持するように構成され、循環水チューブＴＢとセンサ配線ＳＬＩが貫通する孔（図示せず）を備え、庫内にセルベース２０等を設置できるようになっている。このように、調温調湿装置ＣＴＨは、セルベース２０等を所定の温度／湿度の雰囲気下に置くことができる。なお、スターラーＳＴＲは、振動を与える震盪器であってもよい。
【００１４】
循環水制御装置ＣＷＤは、循環水チューブＴＢを介してセルベース２０等に循環水ＣＷを供給する循環水ポンプＰＵと、循環水ＣＷを所定の温度に維持する循環水槽ＩＢと、センサ配線ＳＬＩからの信号を受信し、循環水ポンプＰＵによるセルベース２０等への循環水ＣＷの供給量を制御する流量制御装置６０とを備える。循環水ポンプＰＵは、流量制御装置６０により循環水ＣＷの供給量を制御されるように構成されたポンプである。循環水チューブＴＢは、内部に循環水ＣＷを流すための往路と復路の２つの経路（管）を有し、循環水ポンプＰＵは、往路に対して循環水ＣＷを供給すると、復路から戻ってくる同量の循環水ＣＷを受け入れる。
【００１５】
循環水槽ＩＢは、試験の目的に応じて、様々な循環水ＣＷの温度を設定でき、その温度を一定に維持できるように構成されている。循環水チューブＴＢの復路を経由して戻ってきた循環水ＣＷは、循環水槽ＩＢにより供給すべき所定の温度に回復され、往路に再び供給される。流量制御装置６０は、センサ配線ＳＬＩを介して受信した信号の温度情報に基づき、循環水ポンプＰＵがセルベース２０等に所定温度の循環水ＣＷを供給する供給量を制御する。換言すれば、循環水ポンプＰＵは、後述するセルベース２０の流路２１を流通する循環水ＣＷの流量を制御する。
【００１６】
循環水制御装置ＣＷＤは、さらに、透過性試験装置１００の利用者が、透過性試験の目的に応じて、循環水ＣＷの温度を設定する循環水温度設定部６１と、後述するレシーバ液ＲＬの温度を設定するレシーバ液温度設定部６２と、透過膜ＭＢの温度を設定する透過膜温度設定部６３を有する。レシーバ液温度設定部６２は、典型的なレシーバ液ＲＬの温度とされる３２℃を中心に上下２〜３度の幅を以って設定できることが好ましい。透過膜ＭＢの温度は、レシーバ液ＲＬの温度より調温調湿装置ＣＴＨの庫内の設定温度の影響を受け易いが、透過膜温度設定部６３は、透過膜ＭＢの温度を制御する場合に使用される。
【００１７】
循環水温度設定部６１は、調温調湿装置ＣＴＨの庫内の設定温度等に応じて利用者により設定される。たとえば、調温調湿装置ＣＴＨの庫内の設定温度が室温程度（たとえば２７℃）の場合には、レシーバ液ＲＬの温度を３２℃になるべく早く近づけてその温度を維持できる温度（たとえば３４℃）を設定できるようにすることが好ましい。また、庫内の設定温度が高温高湿の地域の環境（たとえば４８℃）の場合には、レシーバ液ＲＬの温度を３２℃になるべく早く近づけてその温度を維持できる温度（たとえば２９℃）を設定できるようにすることが好ましい。
【００１８】
図２および図３が示すように、調温調湿装置ＣＴＨの庫内に設置されるセルベース２０等とは、透過膜ＭＢ、ドナー液ＤＬおよびレシーバ液ＲＬが収容されるセル１１が複数形成されたセルアレイユニット１０と、セルアレイユニット１０と接し、熱伝導性の材質から構成されるセルベース２０と、レシーバ液ＲＬの温度を検出するレシーバ液温度センサ３０と、透過膜ＭＢの温度を検出する透過膜温度センサ４０とを含む。
【００１９】
セル１１は、透過膜ＭＢを内部に収容する。セル１１の内部は、透過膜ＭＢによってドナーチャンバ１２（上部空間）とレセプターチャンバ１３（下部空間）に分けられ、ドナーチャンバ１２にはドナー液ＤＬが収容され、レセプターチャンバ１３にはレシーバ液ＲＬが収容される。透過膜ＭＢは、たとえば、人の皮膚、人工皮膚、豚やモルモット等の動物の皮膚などであり、レセプターチャンバ１３の上に載置される。
【００２０】
レシーバ液ＲＬは、透過膜ＭＢをレセプターチャンバ１３の上に載置する前に透過膜ＭＢが載置される開口部から、または透過膜ＭＢが載置された後にサンプリングポート１４から注入することができる。ドナー液ＤＬは、透過膜ＭＢをレセプターチャンバ１３の上に載置した後、透過膜ＭＢの上に形成されるドナーチャンバ１２に注入することができる。ドナーチャンバ１２およびレセプターチャンバ１３は、いずれも円筒形であり、レセプターチャンバ１３の径は、ドナーチャンバ１２の径より大きい。レセプターチャンバ１３内のレシーバ液ＲＬは、透過性試験中に、円筒形のレセプターチャンバ１３内でスターラーＳＴＲにより攪拌される。
【００２１】
サンプリングポート１４は、各レセプターチャンバ１３の円筒の側面の孔からセルアレイユニット１０の上面の孔にまで伸びる管である。透過性試験中または試験終了後にサンプリングポート１４からレセプターチャンバ１３内のレシーバ液ＲＬが回収され、レシーバ液ＲＬにおける試料の濃度（透過度）が測定される。また、セル１１に収納される透過膜ＭＢとレシーバ液ＲＬの間に空気が混入している場合には、サンプリングポート１４からその空気を抜き出すことができる。また、サンプリングポート１４をセルアレイユニット１０の上面の孔にまで伸びる管として規則的な間隔で成形したことで、たとえば自動化された分注機により、レシーバ液ＲＬの注入や回収を自動化し、透過性試験を効率的に行うことができる。サンプリングポート１４のセルアレイユニット１０の上面の孔には、試験中にレシーバ液ＲＬの蒸発を防ぐため当該孔を塞ぐことのできる蓋（図示せず）を設けることが好ましい。この蓋がないとレシーバ液ＲＬが蒸発してしまい、透過膜ＭＢから透過した試料の濃度に影響を与え、また、透過膜ＭＢとレシーバ液ＲＬの間に空気層が生じて透過後データに影響を与えてしまいかねないためである。なお、この蓋は、アルミ素材のシールもしくはゴム、プラスチック素材のシールもしくはゴム、プラスチック栓といった素材から構成される。
【００２２】
セルアレイユニット１０は、本実施例の場合、８つのセル１１が一列に連なって形成されたものである。本実施例では、８つのセル１１が１つのセルアレイユイット１０に形成されているが、無論この数に限定されるものではない。しかし、透過性試験では、１つのサンプルで４つのセル１１を使用することが多いので、セルアレイユイット１０には４の倍数のセル１１が形成されることが好ましい。
【００２３】
セルアレイユニット１０は、アクリル樹脂、ポリカーボネート樹脂、ガラスなどの透明素材により一体成型されていることが好ましい。これによれば、レセプターチャンバ１３が観察し易くなると共に、各セルの透過膜ＭＢを同一の環境条件で試験することが可能になる。透過性試験においては、セル１１に収納される透過膜ＭＢとレシーバ液ＲＬの間に空気が入らないようにする必要があるが、セルアレイユイット１０が透明素材により構成されていることにより、そのことを容易に確認することができる。セルアレイユニット１０は、セルベース２０に結合手段７０により結合される。結合手段７０は、雄ねじとセルアレイユニット１０とセルベース２０に設けられた雌ねじから構成されるが、両者を着脱可能に結合する限り、特に限定されない。
【００２４】
セルベース２０は、セルアレイユニット１０の上面以外のすべての面と接し、セル１１に収容される内容物、特に透過膜ＭＢとレシーバ液ＲＬの温度に影響を与えられるようアルミなどの熱伝導性の材質から構成される。なお、セルアレイユニット１０とセルベース２０の間の少なくとも一部においてサファイアガラス５０を備えることが好ましい。サファイアガラス５０がセルアレイユニット１０とセルベース２０の間に存在し、両者に当接していることで、伝熱性（伝熱効率）が良く、良好に温調することができる。
【００２５】
セルベース２０は、セルアレイユニット１０を取り囲むように循環水ＣＷ（液体）が流通する流路２１を内部に有する。流路２１は、セルベース２０の一端において、循環水ＣＷを供給するための供給口２１ｃと排出するための排出口２１ｄを有し、循環水ＣＷを供給口２１ｃから排出口２１ｄへ流通させる。供給口２１ｃは循環水チューブＴＢの往路と、排出口２１ｄは循環水チューブＴＢの復路と接続され、循環水ポンプＰＵから所定温度の循環水ＣＷの供給を受ける。また、たとえばセルベース２０を２つ使用する場合、１つ目の供給口２１ｃに循環水チューブＴＢの往路を接続し、１つ目のセルベース２０の排出口２１ｄと２つ目のセルベース２０の供給口２１ｃとを追加的な循環水チューブＴＢで接続し、２つ目のセルベース２０の排出口２１ｄと循環水チューブＴＢの復路を接続することにより、調温調湿装置ＣＴＨの庫内に設置されるセルベース２０を増設することができる。これによれば、透過性試験装置１００は、一度に多くのサンプルの透過性試験を行うことができる。
【００２６】
セルベース２０は、循環水制御装置ＣＷＤから所定の温度の循環水ＣＷの供給を受けると、その所定温度に近い温度をセルアレイユニット１０に伝導する。なお、セルベース２０は、調温調湿装置ＣＴＨに設置された場合に雰囲気に触れる外面に断熱カバー８０を備えることが好ましい。このように、断熱カバー８０をセルベース２０の外面に設けることで、高温高湿に環境下においても、その影響を低減させることができる。このようにして、セルベース２０は、セル１１に収容される内容物を、透過性試験により要求される所定の温度にする。
【００２７】
レシーバ液温度センサ３０と透過膜温度センサ４０は、サーミスタなどの温度センサであり、それぞれの温度を検出できれば特に限定されない。レシーバ液温度センサ３０は、レセプターチャンバ１３の底の近傍に位置し、レシーバ液ＲＬの温度を検出する。透過膜温度センサ４０は、透過膜ＭＢがレセプターチャンバ１３の上に載置されたときに透過膜ＭＢに接する位置に配置され、透過膜ＭＢの温度を検出する。レシーバ液温度センサ３０と透過膜温度センサ４０は、セルベース２０の一端側（供給口２１ｃ／排出口２１ｄが設けられている一端と同じ側）に設けられたセンサジャック３１と電気的に接続されてている。レシーバ液温度センサ３０と透過膜温度センサ４０はで検出された温度は、電気的な信号としてセンサジャック３１に伝達され、センサジャック３１に接続されたセンサ配線ＳＬＩを経由して流量制御装置６０に伝達される。
【００２８】
透過性試験装置１００において、流量制御装置６０は、レシーバ液温度センサ３０が検出したレシーバ液ＲＬの温度と透過膜温度センサ４０が検出した透過膜ＭＢの温度の両方またはいずれか一方に基づき、流路２１を流通する循環水ＣＷの流量を制御する。たとえば、調温調湿装置ＣＴＨの庫内の温度と循環水ＣＷの温度との差があまり大きくない場合、流量制御装置６０は、比較的小さな流量をセルベース２０に流せばよいが、レシーバ液ＲＬや透過膜ＭＢの表面の温度をより循環水ＣＷの温度に近づけたい場合は、流量を多くする。また、調温調湿装置ＣＴＨの庫内の温度と循環水ＣＷの温度との差が比較的大きい場合、流量制御装置６０は、比較的大きな流量をセルベース２０に流すこととなるが、レシーバ液ＲＬや透過膜ＭＢの表面の温度をより調温調湿装置ＣＴＨの庫内の温度に近づけたい場合は、流量を少なくする。流量制御装置６０は、０〜１０リットル／分の流量を制御することが好ましい。
【００２９】
より具体的には、流量制御装置６０は、循環水温度設定部６１で設定された温度の循環水ＣＷを供給するが、たとえば循環水ＣＷの設定温度が３４℃であり、レシーバ液温度センサ３０が検出したレシーバ液ＲＬの温度が最初２８℃であった場合、レシーバ液ＲＬの温度をなるべく早くたとえば３２℃に近づけてその後その温度を維持するように循環水ＣＷの流量を制御する。たとえば、流量制御装置６０は、レシーバ液ＲＬの温度をなるべく早くたとえば３２℃に近づけるために多い流量（たとえば６リットル／分）の循環水ＣＷを流すように制御し、３２℃になった以降は３２℃を維持するために少ない流量（たとえば４リットル／分）の循環水ＣＷを流すように制御する。また、同様に、流量制御装置６０は、透過膜温度センサ４０が検出した透過膜ＭＢの温度が最初２８℃であった場合、レシーバ液ＲＬの温度をなるべく早くたとえば３２℃に近づけてその後その温度を維持するように循環水ＣＷの流量を制御する。
【００３０】
このように、レシーバ液ＲＬの温度と透過膜ＭＢの温度の両方またはいずれか一方に基づき流路２１を流通する循環水ＣＷの流量を制御することで、医薬品や化粧品等を多くの地域に提供するために様々な環境をシミュレートする様々な試験環境においても、透過膜ＭＢやレセプターチャンバ１３の温度を制御する透過性試験装置１００を提供することができる。
【００３１】
図４および図５は、本実施例の透過性試験装置１００の実験制御結果である。図４は、調温調湿装置ＣＴＨの庫内の雰囲気が室温に近い環境における実験制御結果であり、図５は、庫内の雰囲気が高温高湿の環境における実験制御結果である。室温の場合、調温調湿装置ＣＴＨの庫内の温度は２７℃、湿度（相対湿度）は５０％であり、循環水ＣＷの温度は３４℃とした。この場合、レシーバ液ＲＬと透過膜ＭＢの温度は、循環水ＣＷの温度と庫内の温度と間の温度となり、レシーバ液ＲＬの温度は透過膜ＭＢの温度に比し、循環水ＣＷの温度に近い温度を示す。レシーバ液ＲＬの温度と透過膜ＭＢの温度には、大きな温度差は生じない。レシーバ液ＲＬの温度は、セルベース２０を庫内に設置して循環水ＣＷを多めに（６リットル／分）流通させた後約２０分経過するとこの実験における所定温度の約３２℃に到達し、その後少なめの流量（４リットル／分）で一定温度を維持する。同様に、透過膜ＭＢの温度は、流通開始後約２０分経過すると約３１．６℃に到達し、その一定温度を維持する。
【００３２】
高温高湿の環境の場合、調温調湿装置ＣＴＨの庫内の温度は４８℃、湿度（相対湿度）は９５％であり、循環水ＣＷの温度は２９℃とした。この場合、レシーバ液ＲＬと透過膜ＭＢの温度は、循環水ＣＷの温度と庫内の温度と間の温度となり、レシーバ液ＲＬの温度は透過膜ＭＢの温度に比し、循環水ＣＷの温度に近い温度を示す。レシーバ液ＲＬの温度と透過膜ＭＢの温度には、セルベース２０より上方にあり庫内環境に影響を受け易い位置にあるため、湿度も高いので、大きな温度差がある。レシーバ液ＲＬの温度は、セルベース２０を庫内に設置して循環水ＣＷを多めに（６リットル／分）流通させた後約１５分経過するとこの実験における所定温度の約３２℃に到達し、その後少なめの流量（４リットル／分）で一定温度を維持する。同様に、透過膜ＭＢの温度は、流通開始後約１５分経過すると約４０℃に到達し、その一定温度を維持する。
【００３３】
このように、透過性試験装置１００が設置された環境の温度が約５０℃であり、流路２１を流通する循環水ＣＷの温度が約２９℃である場合に、流量制御装置６０は、レシーバ液ＲＬの温度が３２±１℃および／または透過膜ＭＢの温度が４０±１℃になるように制御する。これによれば、高温高湿の試験環境下においても、透過性試験として十分な温調性能を発揮することができる。
【００３４】
なお、本発明は、例示した実施例に限定するものではなく、特許請求の範囲の各項に記載された内容から逸脱しない範囲の構成による実施が可能である。すなわち、本発明は、主に特定の実施形態に関して特に図示され、かつ説明されているが、本発明の技術的思想および目的の範囲から逸脱することなく、以上述べた実施形態に対し、数量、その他の詳細な構成において、当業者が様々な変形を加えることができるものである。
【符号の説明】
【００３５】
１００    透過性試験装置
１０      セルアレイユニット
１１      セル
１２      ドナーチャンバ（上部空間）
１３      レセプターチャンバ（下部空間）
１４      サンプリングポート
２０      セルベース
２１      流路
２１ｃ    供給口
２１ｄ    排出口
３０      レシーバ液温度センサ
３１      センサジャック
４０      透過膜温度センサ
５０      サファイアガラス
６０      流量制御装置
６１      循環水温度設定部
６２      レシーバ液温度設定部
６３      透過膜温度設定部
７０      結合手段
８０      断熱カバー
ＭＢ      透過膜
ＤＬ      ドナー液
ＲＬ      レシーバ液
ＣＷＤ    循環水制御装置
ＩＢ      循環水槽
ＣＷ      循環水
ＰＵ      循環水ポンプ
ＴＢ      循環水チューブ
ＳＴＲ    スターラー
ＣＴＨ    調温調湿装置
ＳＬＩ    センサ配線
【図１】
2020063908.tif 000003
【図２】
2020063908.tif 000004
【図３】
2020063908.tif 000005
【図４】
2020063908.tif 000006
【図５】
2020063908.tif 000007